(57)【特許請求の範囲】
【請求項１】
安定剤組成物であって、
（Ｉ）下記式（Ｉ）の化合物：
【化１】
0006646043.tif 000018
及び
（ＩＩ）下記式（ＩＩ）の化合物：
【化２】
0006646043.tif 000019
を含有し、
前記式中、
基Ｒ１は相互に独立してＣ１〜Ｃ１８アルキル又はＣ３〜Ｃ１２シクロアルキルであり；
基Ｘ１は相互に独立して水素、Ｃ１〜Ｃ１８アルキル、Ｃ３〜Ｃ１２シクロアルキル又は下記式（ＩＩＩ−Ｉ）の基：
【化３】
0006646043.tif 000020
であり、
基Ｘ２は相互に独立して水素、Ｃ１〜Ｃ１８アルキル、Ｃ３〜Ｃ１２シクロアルキル又は下記式（ＩＩＩ−ＩＩ）の基：
【化４】
0006646043.tif 000021
であり、
且つＹ１はＣ２〜Ｃ１２アルキレンである、
前記安定剤組成物。
【請求項２】
基Ｒ１が相互に独立してＣ１〜Ｃ１２アルキル又はＣ３〜Ｃ６シクロアルキルであり；基Ｘ１が相互に独立して水素、Ｃ１〜Ｃ１２アルキル又はＣ３〜Ｃ６シクロアルキルであり；基Ｘ２が相互に独立して水素、Ｃ１〜Ｃ１２アルキル又はＣ３〜Ｃ６シクロアルキルであり；且つＹ１がＣ２〜Ｃ６アルキレンである、請求項１に記載の安定剤組成物。
【請求項３】
基Ｒ１、Ｘ１及びＸ２がＣ１〜Ｃ４アルキルであり且つＹ１がヘキサメチレンである、請求項１に記載の安定剤組成物。
【請求項４】
Ｒ１がｎ−プロピルであり、Ｘ１及びＸ２がｎ−ブチルであり且つＹ１がヘキサメチレンである、請求項１に記載の安定剤組成物。
【請求項５】
式（Ｉ）の化合物対式（ＩＩ）の化合物の質量比が１：５〜５：１である、請求項１に記載の安定剤組成物。
【請求項６】
（Ａ）光、熱又は酸化により誘発される分解を受ける有機材料、及び
（Ｂ）請求項１で規定された安定剤組成物
を含有する組成物。
【請求項７】
有機材料が、低密度ポリエチレン、高密度ポリエチレン、エチレン−酢酸ビニルコポリマー、エチレン−アクリル酸ブチルコポリマー、及びポリプロピレンホモポリマー又はコポリマーからなる群から選択される、請求項６に記載の組成物。
【請求項８】
請求項６に記載の組成物であって、
（Ｃ）ＵＶ吸収剤、
及び任意に
（Ｄ）酸化防止剤、スリップ剤、粘着防止剤、熱伝導性フィラー、顔料、防曇剤及びアンチミスト剤からなる群から選択される更なる添加剤
を更に含有する、
前記組成物。
【請求項９】
請求項６に記載の組成物で作られた物品。
【請求項１０】
単層フィルム又は３層〜７層の多層フィルムである、請求項９に記載の物品。
【請求項１１】
有機材料中に請求項１で規定された安定剤組成物を組み込むことを含む、光、熱又は酸化によって誘発される分解に対して前記有機材料を安定化させる方法。
【発明の詳細な説明】
【技術分野】
【０００１】
発明の詳細な説明
本発明は、２つの特殊な立体障害アミン化合物を含有する安定剤組成物、前記安定剤組成物を含有する光、熱又は酸化により誘発される分解を受ける有機材料及び前記安定剤組成物の使用、並びに前記安定剤組成物のうち１つの立体障害アミン化合物のみを含有する特定のポリマーに関する。
【０００２】
本発明による安定剤組成物は、農業で使用され且つ土壌の消毒及び農作物の生育の間に農耕法で使用される化学物質（例えば、硫黄又は塩素含有化合物）による高濃度での汚染によって特徴付けられる、プラスチックの用途、典型的にはポリオレフィンの用途における光安定剤として特に有用である。
【０００３】
更に詳細には、本発明は、
（Ｉ）下記式（Ｉ）の化合物：
【化１】
0006646043.tif 000002
及び
（ＩＩ）下記式（ＩＩ）の化合物：
【化２】
0006646043.tif 000003
を含有する安定剤組成物であって、
前記式中、
基Ｒ１は相互に独立してＣ１〜Ｃ１８アルキル又はＣ３〜Ｃ１２シクロアルキルであり；
基Ｘ１は相互に独立して水素、Ｃ１〜Ｃ１８アルキル、Ｃ３〜Ｃ１２シクロアルキル又は下記式（ＩＩＩ−Ｉ）の基：
【化３】
0006646043.tif 000004
であり、
基Ｘ２は相互に独立して水素、Ｃ１〜Ｃ１８アルキル、Ｃ３〜Ｃ１２シクロアルキル又は下記式（ＩＩＩ−ＩＩ）の基：
【化４】
0006646043.tif 000005
であり、
且つＹ１はＣ２〜Ｃ１２アルキレンである、前記安定剤組成物に関する。
【０００４】
Ｃ１〜Ｃ１８アルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル及びオクタデシルである。
【０００５】
Ｃ３〜Ｃ１２シクロアルキルの例は、シクロペンチル、シクロヘキシル、シクロヘプチル、シクロオクチル及びシクロドデシルである。
【０００６】
Ｃ２〜Ｃ１２アルキレンの例は、エチレン、プロピレン、トリメチレン、テトラメチレン、ペンタメチレン、２，２−ジメチルトリメチレン及びヘキサメチレンである。
【０００７】
好ましい実施態様は、基Ｒ１が相互に独立してＣ１〜Ｃ１２アルキル又はＣ３〜Ｃ６シクロアルキルであり；基Ｘ１が相互に独立して水素、Ｃ１〜Ｃ１２アルキル又はＣ３〜Ｃ６シクロアルキルであり；基Ｘ２が相互に独立して水素、Ｃ１〜Ｃ１２アルキル又はＣ３〜Ｃ６シクロアルキルであり；且つＹ１がＣ２〜Ｃ６アルキレンである、安定剤組成物に関する。
【０００８】
Ｒ１、Ｘ１及びＸ２は好ましくはＣ１〜Ｃ４アルキルであり且つＹ１は好ましくはヘキサメチレンである。
【０００９】
特に好ましい実施態様によれば、Ｒ１はｎ−プロピルであり、Ｘ１及びＸ２はｎ−ブチルであり且つＹ１はヘキサメチレンである。
【００１０】
本発明による安定剤組成物では、式（Ｉ）の化合物対式（ＩＩ）の化合物の質量比は、例えば、１：２０〜２０：１、好ましくは１：１０〜１０：１、特に１：５〜５：１である。適切な質量比の更なる例は３：１〜１：３及び２：１〜１：２である。
【００１１】
式（Ｉ）及び（ＩＩ）の化合物は公知であり且つ当業者に公知の方法と同様に調製され得る。式（Ｉ）の化合物は、例えば、国際公開第２０１１／０２９７４４号（WO-A-2011/029,744）（本明細書中に参照として援用される米国特許第８８９５６４７号明細書（US-B-8,895,647）に相当）に記載された方法と同様に調製することができ、式（ＩＩ）の化合物は欧州特許出願公開第２９２４３７号公報（EP-A-292,437）（本明細書中に参照として援用される米国特許第４９９７９３８号明細書（US-A-4,997,938）及び米国特許第５１１６８９３号明細書（US-A-5,116,893）に相当）に記載された方法と同様に調製することができる。
【００１２】
本発明の更なる実施態様は、
（Ａ）光、熱又は酸化により誘発される分解を受ける有機材料、好ましくはポリオレフィン、及び
（Ｂ）上記で定義された安定剤組成物
を含有する組成物に関する。
【００１３】
成分（Ａ）の例は、
１．  モノオレフィン及びジオレフィンのポリマー、例えば、ポリプロピレン、ポリイソブチレン、ポリブタ−１−エン、ポリ−４−メチルペンタ−１−エン、ポリビニルシクロヘキサン、ポリイソプレン又はポリブタジエン、並びにシクロオレフィンのポリマー、例えば、シクロペンテン又はノルボルネンのポリマー、ポリエチレン（任意に架橋され得る）、例えば、高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）である。
【００１４】
ポリオレフィン、即ち、前の段落に例示されたモノオレフィンのポリマー、好ましくはポリエチレン及びポリプロピレンは、様々な、特に以下の方法によって調製され得る：
ａ）ラジカル重合（通常、高圧及び高められた温度下で）。
ｂ）通常、周期律表の第ＩＶｂ族、第Ｖｂ族、第ＶＩｂ族又は第ＶＩＩＩ族の１つ以上の金属を含有する触媒を使用する触媒重合。これらの金属は、通常、１つ以上の配位子、通常、酸化物、ハロゲン化物、アルコラート、エステル、エーテル、アミン、アルキル、アルケニル及び／又はアリールを有し、これらの配位子はπ配位又はσ配位のいずれであってもよい。これらの金属錯体は、遊離形態であり得るか、又は基材上に、通常、活性化塩化マグネシウム、塩化チタン（ＩＩＩ）、アルミナ又は酸化ケイ素上に固定され得る。これらの触媒は、重合媒体に可溶性又は不溶性であり得る。これらの触媒は、重合においてそれ自身が使用され得るか又は更なる活性剤、通常、金属アルキル、金属水素化物、金属アルキルハライド、金属アルキルオキシド又は金属アルキルオキサンが使用されてよく、前記金属は、周期律表の第Ｉａ族、第ＩＩａ族、及び／又は第ＩＩＩａ族の元素である。活性化剤は、更なるエステル、エーテル、アミン、又はシリルエーテル基で都合良く変性され得る。これらの触媒系は、通常、フィリップス（Ｐｈｉｌｌｉｐｓ）触媒、スタンダード・オイル・インディアナ（Ｓｔａｎｄａｒｄ  Ｏｉｌ  Ｉｎｄｉａｎａ）触媒、チーグラー・ナッタ触媒、ＴＮＺ（デュポン（ＤｕＰｏｎｔ）社）触媒、メタロセン触媒又はシングルサイト触媒（ＳＳＣ）と呼ばれる。
【００１５】
２．  １）の下に記載されたポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）及び様々な種類のポリエチレンの混合物（例えば、ＬＤＰＥ／ＨＤＰＥ）。
【００１６】
３．  モノオレフィン及びジオレフィン同士のコポリマー又は他のビニルモノマーとのコポリマー、例えば、エチレン／プロピレンコポリマー、直鎖状低密度ポリエチレン（ＬＬＤＰＥ）及び低密度ポリエチレン（ＬＤＰＥ）とのそれらの混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマー（その際、１−オレフィンがインサイチュで生成される）；プロピレン／ブタジエンコポリマー、イソブチレン／イソプレンコポリマー、エチレン／ビニルシクロヘキセンコポリマー、エチレンアルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンと、プロピレン及びジエン、例えば、ヘキサジエン、ジシクロペンタジエン又はエチリデン−ノルボルネンとのターポリマー；及びかかるコポリマー同士の混合物及び上記の１）に記載されたポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー並びにそれらと他のポリマー、例えば、ポリアミドとの混合物。
【００１７】
４．  炭化水素樹脂（例えば、Ｃ５〜Ｃ９）、例えば、それらの水素化変性物（例えば、粘着付与剤）及びポリアルキレンとデンプンとの混合物。
【００１８】
１．）〜４．）のホモポリマー及びコポリマーは、シンジオタクチック、アイソタクチック、ヘミ−アイソタクチック又はアタクチックを含むあらゆる立体構造を有してよく、その際、アタクチックポリマーが好ましい。ステレオブロックポリマーも含まれる。
【００１９】
５．  ポリスチレン、ポリ（ｐ−メチルスチレン）、ポリ（α−メチルスチレン）。
【００２０】
６．  ビニル芳香族モノマーから誘導される芳香族ホモポリマー及びコポリマー、例えば、スチレン、α−メチルスチレン、ビニルトルエンの全ての異性体、特にｐ−ビニルトルエン、エチルスチレンの全ての異性体、プロピルスチレン、ビニルビフェニル、ビニルナフタレン、及びビニルアントラセン、及びこれらの混合物。ホモポリマー及びコポリマーは、シンジオタクチック、アイソタクチック、ヘミ−アイソタクチック又はアタクチックを含むあらゆる立体構造を有してよく、その際、アタクチックポリマーが好ましい。ステレオブロックポリマーも含まれる。
【００２１】
６ａ．  前述のビニル芳香族モノマーとコモノマー（例えば、エチレン、プロピレン、ジエン、ニトリル、酸、無水マレイン酸、マレイミド、酢酸ビニル及び塩化ビニル又はアクリル誘導体及びその混合物から選択される）とを含むコポリマー、例えば、スチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；スチレンコポリマーと別のポリマー、例えば、ポリアクリレート、ジエンポリマー又はエチレン／プロピレン／ジエンターポリマーとの耐衝撃性の高い混合物；及びスチレンのブロックコポリマー、例えば、スチレン／ブタジエン／スチレン、スチレン／イソプレン／スチレン、スチレン／エチレン／ブチレン／スチレン又はスチレン／エチレン／プロピレン／スチレン。
【００２２】
６ｂ．  ６．）の下に記載されたポリマーの水素化から誘導された水素化芳香族ポリマー、特に、例えば、ポリビニルシクロヘキサン（ＰＶＣＨ）と呼ばれることの多い、アタクチックポリスチレンを水素化することにより調製されたポリシクロヘキシルエチレン（ＰＣＨＥ）。
【００２３】
６ｃ．  ６ａ．）の下に記載されたポリマーの水素化から誘導された水素化芳香族ポリマー。
【００２４】
ホモポリマー及びコポリマーは、シンジオタクチック、アイソタクチック、ヘミアイソタクチック又はアタクチックを含むあらゆる立体構造を有してよく；その際、アタクチックポリマーが好ましい。ステレオブロックポリマーも含まれる。
【００２５】
７．  ビニル芳香族モノマーのグラフトコポリマー、例えば、スチレン又はα−メチルスチレン、例えば、ポリブタジエン上のスチレン、ポリブタジエン−スチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメチルメタクリレート；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアルキルアクリレート又はメタクリレート；エチレン／プロピレン／ジエンターポリマー上のスチレン及びアクリロニトリル；ポリアルキルアクリレート又はポリアルキルメタクリレート上のスチレン及びアクリロニトリル；アクリレート／ブタジエンコポリマー上のスチレン及びアクリロニトリル、並びに６）の下に挙げられたコポリマーとそれらの混合物、例えば、ＡＢＳ、ＭＢＳ、ＡＳＡ又はＡＥＳポリマーとして知られるコポリマー混合物。
【００２６】
８．  ハロゲン含有ポリマー、例えば、ポリクロロプレン、塩素化ゴム、イソブチレン−イソプレンの塩素化及び臭素化コポリマー（ハロブチルゴム）、塩素化又はスルホ塩素化ポリエチレン、エチレンと塩素化エチレンのコポリマー、エピクロロヒドリンホモポリマー及びコポリマー、特に、ハロゲン含有ビニル化合物のポリマー、例えば、ポリ塩化ビニル、ポリ塩化ビニリデン、ポリフッ化ビニル、ポリフッ化ビニリデン、並びにそれらのコポリマー、例えば、塩化ビニル／塩化ビニリデン、塩化ビニル／酢酸ビニル又は塩化ビニリデン／酢酸ビニルコポリマー。
【００２７】
９．  α，β−不飽和酸及びその誘導体から誘導されるポリマー、例えば、ポリアクリレート及びポリメタクリレート；ポリメチルメタクリレート、ポリアクリルアミド及びポリアクリロニトリル、耐衝撃性ブチルアクリレート。
【００２８】
１０．  ９）の下に記載されたモノマー同士の又は別の不飽和モノマーとのコポリマー、例えば、アクリロニトリル／ブタジエンコポリマー、アクリロニトリル／アルキルアクリラートコポリマー、アクリロニトリル／アルコキシアルキルアクリレート又はアクリロニトリル／ビニルハリドコポリマー又はアクリロニトリル／アルキルメタクリレート／ブタジエンターポリマー。
【００２９】
１１．  不飽和アルコールとアミン又はアシル誘導体又はそれらのアセタールから誘導されたポリマー、例えば、ポリビニルアルコール、ポリビニルアセテート、ポリビニルステアレート、ポリビニルベンゾエート、ポリビニルマレエート、ポリビニルブチラール、ポリアリルフタレート又はポリアリルメラミン；並びに上記の１）に記載されたオレフィンとのそれらのコポリマー。
【００３０】
１２．  環状エーテルのホモポリマー及びコポリマー、例えば、ポリアルキレングリコール、ポリエチレンオキシド、ポリプロピレンオキシド又はビスグリシジルエーテルとのそれらのコポリマー。
【００３１】
１３．  ポリアセタール、例えば、ポリオキシメチレン及びコモノマーとしてエチレンオキシドを含有するそれらのポリオキシメチレン；熱可塑性ポリウレタン、アクリレート又はＭＢＳで変性されたポリアセタール。
【００３２】
１４．  ポリフェニレンオキシド及びスルフィド、並びにポリフェニレンオキシドとスチレンポリマー又はポリアミドとの混合物。
【００３３】
１５．  一方でヒドロキシル末端ポリエーテル、ポリエステル又はポリブタジエンから誘導され、他方で脂肪族又は芳香族ポリイソシアネートから誘導されたポリウレタン、並びにそれらの前駆体。
【００３４】
１６．  ジアミン及びジカルボン酸から、及び／又はアミノカルボン酸又は相応するラクタムから誘導されるポリアミド及びコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；ヘキサメチレンジアミン及びイソフタル酸又は／及びテレフタル酸から製造され、且つ改質剤としてのエラストマーを有する又は有していないポリアミド、例えば、ポリ−２，４，４−トリメチルヘキサメチレンテレフタルアミド又はポリ−ｍ−フェニレンイソフタルアミド；及び上述のポリアミドと、ポリオレフィン、オレフィンコポリマー、イオノマー、あるいは化学結合された又はグラフトされたエラストマーとのブロックコポリマー；又はポリエーテル、例えば、ポリエチレングリコール、ポリプロピレングリコール又はポリテトラメチレングリコールとのブロックコポリマー；並びにＥＰＤＭ又はＡＢＳで改質されたポリアミド又はコポリアミド；及び加工の間に縮合したポリアミド（ＲＩＭポリアミド系）。
【００３５】
１７．  ポリウレア、ポリイミド、ポリアミド−イミド、ポリエーテルイミド、ポリエステルイミド、ポリヒダントイン及びポリベンズイミダゾール。
【００３６】
１８．  ジカルボン酸及びジオールから誘導される、及び／又はヒドロキシカルボン酸又は相応するラクトン又はラクチドから誘導されるポリエステル、例えば、ポリエチレンテレフタレート、ポリブチレンテレフタレート、ポリ−１，４−ジメチロールシクロヘキサンテレフタレート、ポリアルキレンナフタレート及びポリヒドロキシベンゾエート、並びにヒドロキシル基を末端に有するポリエーテルから誘導されるコポリエーテルエステル；及びさらにポリカーボネート又はＭＢＳで改質されたポリエステル。コポリエステルは、例えば、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含み得るがこれらに制限されない。更には、脂肪族ポリエステルは、例えば、ポリ（ヒドロキシアルカノエート）、特にポリ（プロピオラクトン）、ポリ（ブチロラクトン）、ポリ（ピバロラクトン）、ポリ（バレロラクトン）及びポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケート及びポリ乳酸（ＰＬＡ）並びにポリカーボネート又はＭＢＳで変性された対応するポリエステルを含み得るが、これらに制限されない。「ポリ乳酸（ＰＬＡ）」との用語は、好ましくはポリ−Ｌ−ラクチドのホモポリマー及びそのブレンド又は他のポリマーとのアロイのいずれか；乳酸又はラクチドと他のモノマーとのコポリマー、例えば、ヒドロキシカルボン酸、例えば、グリコール酸、３−ヒドロキシ−酪酸、４−ヒドロキシ−酪酸、４−ヒドロキシ−吉草酸、５−ヒドロキシ−吉草酸、６−ヒドロキシ−カプロン酸及びそれらの環状形態を意味し；「乳酸」又は「ラクチド」との用語は、Ｌ−乳酸、Ｄ−乳酸、それらの混合物及びダイマー、即ち、Ｌ−ラクチド、Ｄ−ラクチド、メソ−ラクチド及びそれらの任意の混合物を含む。
【００３７】
１９．  ポリカーボネート及びポリエステルカーボネート。
【００３８】
２０．  ポリケトン。
【００３９】
２１．  ポリスルホン、ポリエーテルスルホン及びポリエーテルケトン。
【００４０】
２２．  一方でアルデヒドから誘導され、他方でフェノール、尿素及びメラミンから誘導された架橋ポリマー、例えば、フェノール／ホルムアルデヒド樹脂、尿素／ホルムアルデヒド樹脂及びメラミン／ホルムアルデヒド樹脂。
【００４１】
２３．  乾燥及び非乾燥アルキド樹脂。
【００４２】
２４．  飽和及び不飽和ジカルボン酸と、架橋剤としての多価アルコール及びビニル化合物とのコポリエステルから誘導された不飽和ポリエステル樹脂、及びさらにその低燃焼性のハロゲン含有変性物。
【００４３】
２５．  置換アクリレートから誘導された架橋性アクリル樹脂、例えば、エポキシアクリレート、ウレタンアクリレート又はポリエステルアクリレート。
【００４４】
２６．  メラミン樹脂で架橋したアルキド樹脂、ポリエステル樹脂及びアクリレート樹脂、尿素樹脂、イソシアネート、イソシアヌレート、ポリイソシアネート又はエポキシ樹脂。
【００４５】
２７．  脂肪族、脂環式、複素環式又は芳香族グリシジル化合物から誘導された架橋エポキシ樹脂、例えば、促進剤を用いて又は用いずに、無水物又はアミンなどの慣用の硬化剤で架橋された、ビスフェノールＡ及びビスフェノールＦのジグリシジルエーテルの生成物。
【００４６】
２８．  天然ポリマー、例えば、セルロース、ゴム、ゼラチン及びそれらの化学的に改変された同族誘導体、例えば、酢酸セルロース、プロピオン酸セルロース及び酪酸セルロース、又はセルロースエーテル、例えば、メチルセルロース；並びにロジン及びそれらの誘導体。
【００４７】
２９．  上述のポリマーのブレンド（ポリブレンド）、例えば、ＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４８】
３０．  純粋なモノマー化合物又はかかる化合物の混合物である天然及び合成の有機材料、例えば、鉱油、動植物油脂、油及びワックス、又は合成エステル（例えば、フタレート、アジペート、ホスフェート又はトリメリテート）に基づく油、油脂及びワックス、さらには任意の質量比の鉱油と合成エステルとの混合物、典型的には紡糸組成物として使用されるもの、並びにかかる物質の水性エマルション。
【００４９】
３１．  天然又は合成ゴムの水性エマルション、例えば、天然ラテックス又はカルボキシル化スチレン／ブタジエンコポリマーのラテックスである。
【００５０】
有機材料は、好ましくは、低密度ポリエチレン、高密度ポリエチレン、エチレン−酢酸ビニルコポリマー、エチレン−ブチルアクリレートコポリマー、及びポリプロピレンホモポリマー又はコポリマーからなる群から選択される。
【００５１】
本発明による安定剤組成物は、安定化されるべき有機材料中に、有機材料の質量に対して、好ましくは０．００５〜１０％又は０．００５〜５％、特に０．０１〜２．５％又は０．１〜２％の量で存在し得る。
【００５２】
本安定剤組成物の個々の成分は、安定化されるべき有機材料に個別に添加され得るか又は互いに混合され得る。それらは重合前又は重合中に又は架橋前にポリマーに添加され得る。
【００５３】
本発明による安定剤組成物又はその個々の成分は、例えば成形の前又はその間に、公知の方法によって、又は溶解した又は分散した安定剤を有機材料に適用し、必要な場合、続いて溶媒を蒸発させることによって、安定化されるべき有機材料中に組み込むことができる。安定剤は、前記安定剤を、例えば２．５〜２５質量％の濃度で含有する、粉末、顆粒又はマスターバッチの形で有機材料に添加することができる。
【００５４】
本発明に従って安定化された材料の加工又は変形の例は、以下のものである：
射出ブロー成形、押出、ブロー成形、回転成形、インモールド加飾成形（バック射出）、スラッシュ成形、射出成形、共射出成形、成形、圧縮成形、圧縮、フィルム押出（キャストフィルム；吹込フィルム）、紡糸（ウーブン、ノンウーブン）、圧伸成形（一軸、二軸）、アニーリング、深絞り、カレンダー加工、機械式変換、焼結、同時押出、コーティング、積層、架橋（照射、過酸化物、シラン）、蒸着、溶接一体化、接着剤、加硫、熱成形、パイプ押出、異形押出、シート押出；シート成形、スピンコーティング、ストラッピング、発泡成形、再循環／再加工、押出コーティング、ビスブレーキング（過酸化物、熱）、メルトブロー繊維、スパンボンディング、表面処理（コロナ放電、火炎、プラズマ）、滅菌（ガンマ線、電子線）、流し込重合（Ｒ＆Ｍプロセス、ＲＡＭ押出）、ゲルコーティング、テープ押出、ＧＭＴプロセス、ＳＭＣプロセス、プラスチゾル、及び浸漬（ＰＶＣ、ラテックス）。
【００５５】
安定化された材料は、追加的に例えば、以下の様々な慣用の添加剤を含有し得る：
１．  酸化防止剤
１．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖内で直鎖状又は分枝鎖状であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、及びそれらの混合物。
【００５６】
１．２  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５７】
１．３  ヒドロキノン及びアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００５８】
１．４  トコフェロール、例えば、α−トコフェロール、β−トコフェロール、γ−トコフェロール、δ−トコフェロール及びそれらの混合物（ビタミンＥ）。
【００５９】
１．５  ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００６０】
１．６．  アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００６１】
１．７．  Ｏ−、Ｎ−及びＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００６２】
１．８．  ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００６３】
１．９．  芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００６４】
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６５】
１．１１．  ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジ−オクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００６６】
１．１２．  アシルアミノフェノール、例えば、４−ヒドロキシラウルアニリド（4-hydroxylauranilide）、４−ヒドロキシステアラニリド（4-hydroxystearanilide）、オクチルＮ−（３，５−ジ−ｔｅｒｔ−ブチル−４−ヒドロキシフェニル）カルバメート。
【００６７】
１．１３．  β−（３，５−ジ−ｔｅｒｔ−ブチル−４−ヒドロキシフェニル）プロピオン酸と、一価又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６８】
１．１４．  β−（５−ｔｅｒｔ−ブチル−４−ヒドロキシ−３−メチルフェニル）プロピオン酸と、一価又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００６９】
１．１５．  β−（３，５−ジシクロヘキシル−４−ヒドロキシフェニル）プロピオン酸と、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７０】
１．１６．  ３，５−ジ−ｔｅｒｔ−ブチル−４−ヒドロキシフェニル酢酸と、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７１】
１．１７．  β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、供給元Ｕｎｉｒｏｙａｌ）。
【００７２】
１．１８．  アスコルビン酸（ビタミンＣ）
【００７３】
１．１９．  アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブタ−２−エン。
【００７４】
２．  紫外線吸収剤及び光安定剤
２．１．  ２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールと、ポリエチレングリコール３００とのエステル交換反応生成物；［Ｒ−ＣＨ２ＣＨ２−ＣＯＯ−ＣＨ２ＣＨ２］２−（式中、Ｒ＝３’−ｔｅｒｔ−ブチル−４’−ヒドロキシ−５’−２Ｈ−ベンゾトリアゾール−２−イルフェニル）、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール。
【００７５】
２．２．  ２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００７６】
２．３．  置換及び非置換の安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００７７】
２．４．  アクリレート類、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【００７８】
２．５．  ニッケル化合物、例えば、２，２’−チオ−ビス［４−（１，１，３，３−テトラメチルブチル）フェノール］のニッケル錯体、例えば１：１又は１：２錯体であって、さらなる配位子、例えばｎ−ブチルアミン、トリエタノールアミン又はＮ−シクロヘキシルジエタノールアミンを有する又は有していない錯体、ニッケルジブチルジチオカルバメート、４−ヒドロキシ−３，５−ジ−ｔｅｒｔ−ブチルベンジルホスホン酸のモノアルキルエステル、例えば、メチル又はエチルエステルのニッケル塩、ケトキシムの、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を有する又は有していない錯体。
【００７９】
２．６．  立体障害アミン、例えば、炭酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノ���ロピルアミノ）エタンと２，４，６−トリクロロ−１，３，５−トリアジン並びに４−ブチルアミノ−２，２，６，６−テトラメチルピペリジンとの縮合物（ＣＡＳ登録番号［１３６５０４−９６−６］）；１，６−ヘキサンジアミンと２，４，６−トリクロロ−１，３，５−トリアジンとの縮合物、並びにＮ，Ｎ−ジブチルアミンと４−ブチルアミノ−２，２，６，６−テトラメチルピペリジンとの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号［１０６９１７−３１−１］）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００８０】
２．７．  オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド（butoxanilide）、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド（ethoxanilide）、及びその２−エトキシ−２’−エチル−５，４’−ジ−ｔｅｒｔ−ブトキサニリドとの混合物、ｏ−及びｐ−メトキシ−二置換オキサニリドの混合物、並びにｏ−及びｐ−エトキシ−二置換オキサニリドの混合物。
【００８１】
２．８．  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン、２，４−ビス（４−ビフェニリル）−６−［２−ヒドロキシ−４−（２−エチルヘキシルオキシ）フェニル］−１，３，５−トリアジン。
【００８２】
３．  金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８３】
４．  ホスフィット（phosphites）及びホスホナイト（phosphonites）、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【００８４】
以下のホスフィットが特に好ましい：
トリス（２，４−ジ−ｔｅｒｔ−ブチルフェニル）ホスフィット（ｌｒｇａｆｏｓ（登録商標）１６８、チバ・スペシャルティ・ケミカルズ社（Ciba Specialty Chemicals Inc.））、トリス（ノニルフェニル）ホスフィット、
【化５】
0006646043.tif 000006
【００８５】
５．  ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【００８６】
６．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化タローアミンから誘導されるＮ，Ｎ−ジアルキルヒドロキシルアミンから誘導されるニトロン。
【００８７】
７．  チオ相乗剤、例えば、ジラウリルチオジプロピオネート、ジミリスチルチオジプロピオネート、ジステアリルチオジプロピオネート又はジステアリルジスルフィド。
【００８８】
８．  過酸化物捕捉剤、例えば、β−チオジプロピオン酸のエステル、例えば、ラウリル、ステアリル、ミリスチル又はトリデシルのエステル、メルカプトベンズイミダゾール又は２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【００８９】
９．  ポリアミド安定剤、例えば、銅塩とヨウ化物及び／又はリン化合物との組み合わせ、並びに二価のマンガン塩。
【００９０】
１０．  塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩及びアルカリ土類金属塩、例えば、ステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【００９１】
１１．  成核剤、例えば、無機物質、例えば滑石、金属酸化物、例えば二酸化チタン又はマグネシウム酸化物、好ましくはアルカリ土類金属の燐酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジフェニル酢酸、コハク酸ナトリウム又は安息香酸ナトリウム；ポリマー化合物、例えばイオン性コポリマー（イオノマー）。特に好ましいのは、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールである。
【００９２】
１２．  充填剤及び強化剤、例えば、炭酸カルシウム、シリケート、表面処理シリカ（例えば、米国特許出願公開第２００７／６０６９７号公報（US-A-2007/60,697）及び米国特許出願公開第２００９／１１１９１８号公報（US-A-2009/111,918）に記載された通り）、ガラス繊維、ガラスビーズ、アスベスト、タルク、カオリン、マイカ、硫酸バリウム、金属酸化物及び水酸化物、カーボンブラック、グラファイト、木粉及び他の天然物の粉末又は繊維、合成繊維。
【００９３】
１３．  他の添加物、例えば、可塑剤、潤滑剤、乳化剤、顔料、流動添加剤、触媒、流れ調整剤、蛍光増白剤、防炎加工剤、帯電防止剤及び膨張剤。
【００９４】
１４．  ベンゾフラノン及びインドリノン、例えば、米国特許第４３２５８６３号明細書（US 4,325,863）；米国特許第４３３８２４４号明細書（US 4,338,244）；米国特許第５１７５３１２号明細書（US 5,175,312）；米国特許第５２１６０５２号明細書（US 5,216,052）；米国特許第５２５２６４３号明細書（US 5,252,643）；西独国特許出願公開第４３１６６１１号公報（DE-A-4316611）；西独国特許出願公開第４３１６６２２号公報（DE-A-4316622）；西独国特許出願公開第４３１６８７６号公報（DE-A-4316876）；欧州特許出願公開第０５８９８３９号公報（EP-A-0589839）、欧州特許出願公開第０５９１１０２号公報（EP-A-0591102）；欧州特許出願公開第１２９１３８４号公報（EP-A-1291384）内に開示されているもの、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【００９５】
本安定剤組成物対慣用の添加剤の全量の質量比は、例えば、１００：１〜１：１０００又は１０：１〜１：１００又は１０：１〜１：１０であり得る。
【００９６】
本発明の更なる実施態様は、（Ｃ）ＵＶ吸収剤、好ましくは２．１、２．２又は２．８の下で上記に列挙したものの１つ、及び任意に（Ｄ）酸化防止剤、スリップ剤、粘着防止剤（ブロッキング防止剤；anti-block agents）、熱伝導性フィラー（thermal fillers）、顔料、防曇剤及びアンチミスト剤（anti-mist agents）からなる群から選択される更なる添加剤を更に含有する組成物である。
【００９７】
成分（Ａ）対成分（Ｃ）の質量比は、例えば、１００：１〜１：１又は２０：１〜３：１である。
【００９８】
成分（Ａ）対成分（Ｄ）の質量比は、例えば、１０：１〜１：１０又は５：１〜１：５である。
【００９９】
本発明に従って安定化された材料は、例えば、フィルム、繊維、テープ、成形組成物、形材として、又は塗料、接着剤又はパテ用のバインダーとして多種多様な形で使用することができる。
【０１００】
より詳細には、本発明により安定化された材料は、以下の装置の製造に使用され得る：
Ｉ−１）  自動車用途、特にバンパー、ダッシュボード、バッテリー、リア及びフロントの内張り、フード下の成形部品、ハットシェルフ、トランクの内張り、室内の内張り、エアバッグカバー、装備品（ライト）用の電子成形品、ダッシュボード用の受け皿、ヘッドランプガラス、計器盤、外装の内張り、室内装飾品、自動車のライト、ヘッドライト、パーキングライト、テールランプ、ブレーキライト、内装品及び外装品；ドアパネル；ガソリンタンク；前面の窓ガラス；リアウィンドウ；シートの裏当て、外装パネル、電線絶縁物、封止用の異形押出成形材、クラッディング、ピラーカバー、シャーシ部品、排気システム、燃料フィルタ／充填材、燃料ポンプ、燃料タンク、ボディサイド成形品、コンバチブルの屋根、ドアミラー、外装品、留め具／固定材、フロントエンドモジュール、ガラス、ヒンジ、施錠システム、荷台／ルーフラック、プレス／打ち出し部品、封止材、側面衝撃吸収物、遮音材／絶縁体及びサンルーフ。
【０１０１】
Ｉ−２）  備品を含む、飛行機、鉄道、自動車（車、オートバイ）用の機器。
【０１０２】
Ｉ−３）  宇宙用途の機器、特にロケット及び衛星、例えば再突入シールド。
【０１０３】
Ｉ−４）  建築及び設計、採鉱用途、防音システム、道路安全地帯（street refuge）、及びシェルターのための機器。
【０１０４】
ＩＩ−１）  電気器具、特に洗濯機、乾燥器、オーブン（電子レンジ）、食器洗い機、ミキサー、及びアイロン。
【０１０５】
ＩＩ−２）  凝縮器、冷蔵庫、加熱機器、エアコン、電子部品の封入物、半導体、飲料自動販売機（coffee machine）、及び真空掃除器用の箔。
【０１０６】
ＩＩＩ−１）  工業用物品、例えば歯車（ギア）、スライド継ぎ手、スペーサー、スクリュー、ボルト、ハンドル、及びノブ。
【０１０７】
ＩＩＩ−２）  動翼、換気機及び風車の羽根、ソーラー機器、水泳用プール、水泳用プールカバー、プールライナー、ポンドライナー、クローゼット、ワードローブ、パーティション（dividing wall）、スラットウォール、折りたたみ壁、屋根、シャッター（例えばロールシャッター）、継ぎ手、パイプ間の接続、スリーブ、及びコンベヤーのベルト。
【０１０８】
ＩＩＩ−３）  任意の形状の形材（窓ガラスが入った窓枠）及び羽目板。
【０１０９】
ＩＩＩ−４）  ガラスの代用品、特に押出板、建物（一体式、二層又は多層）、航空機、学校用の窓ガラス（glazing）、押出シート、建築窓ガラス、電車、輸送用の窓用フィルム、衛生用品、及び温室。
【０１１０】
ＩＩＩ−５）  板（壁、まな板）、押出被覆（印画紙、テトラパック、及び管被覆）、サイロ、木材代用品、プラスチック製材、木材複合材、壁、表面、家具、化粧紙、フロアカバー（内装及び外装用途）、フローリング、板敷、及びタイル。
【０１１１】
ＩＩＩ−６）  セメント、コンクリート、複合材用途及びカバー、羽目板及びクラッディング、手すり、手すり子、台所の調理台、屋根、屋根板、タイル、及び防水布。
【０１１２】
ＩＶ−１）  板（壁、まな板）、トレー、人工草、アストロターフ、円形競技場（運動競技）の人工カバー、円形競技場（運動競技）の人工床、及びテープ。
【０１１３】
Ｖ−１）  一般的なプラスチックフィルム（梱包材、投棄場、積層物、水泳用プールカバー、ゴミ袋、壁紙、伸長フィルム、ラフィア、脱塩膜、バッテリー、及びコネクタ）。
【０１１４】
Ｖ−２）  農業用フィルム（温室カバー、トンネル、マルチ、サイレージ、ベールラップ）、特に農薬の集中的な施用下で）。
【０１１５】
ＶＩ−１）  食品の梱包材及び包装材（軟質及び硬質）、ＢＯＰＰ、ＢＯＰＥＴ、瓶。
【０１１６】
ＶＩ−２）  カートリッジ、シリンジ、医療用途、任意の輸送用のコンテナ、くずかご及びゴミ箱、ゴミ袋、ゴミ入れ、ゴミ容器、ゴミ箱用ゴミ袋、車輪付きゴミ箱、一般的な容器、水／使用済み水／化学物質／ガス／油／ガソリン／ディーゼル油用タンク；タンクライナー、箱、枠箱、バッテリーケース、かいば桶、医療用機器、例えばピストン、眼の用途、診断用機器、及び医薬品ブリスター用の梱包材。
【０１１７】
ＶＩＩ−１）  充填材（タルク、チョーク、チャイナクレー（カオリン）、珪灰石、顔料、カーボンブラック、ＴｉＯ２、マイカ、ナノ複合材、ドロマイト、シリカ、シリケート、ガラス、アスベスト）入りポリマーの機器。
【０１１８】
従って、本発明の別の実施態様は、上記組成物から作られた物品である。農業用プラスチック製品、好ましくは薄膜、典型的にはブロー押出技術で得られる薄膜が好ましい。３層、５層又は７層の単層フィルム又は多層フィルムが特に注目されている。薄いプラスチックフィルムの農業における最も重要な用途は、保護された環境下で作物を栽培するための温室やトンネル用のカバーとしての用途である。
【０１１９】
少なくとも１つの層に式（Ｉ）の化合物を含み、別の層に式（ＩＩ）の化合物を含む多層フィルム、好ましくは多層ポリオレフィンフィルム、特に多層ポリエチレンフィルムも好ましい。
【０１２０】
本発明の更なる実施態様は、光、熱又は酸化によって誘発される分解に対して有機材料を安定化させる方法であって、上記で定義された安定剤組成物を有機材料中に組み込むことを含む前記方法である。
【０１２１】
本発明の更に好ましい実施態様は、農業で使用され且つ土壌の殺菌及び作物の成長の間の農業的実施において使用される化学物質による高濃度での汚染によって特徴付けられるプラスチックフィルム、特にポリオレフィンフィルムを安定化するための本安定剤組成物の使用である。
【０１２２】
本発明の他の実施態様は、以下のものである：
・  組成物であって
（１）低密度ポリエチレン、高密度ポリエチレン、エチレン−酢酸ビニルコポリマー及びエチレン−アクリル酸ブチルコポリマーからなる群から選択されるポリマー、及び
（２）上記で定義された式（ＩＩ）の化合物、好ましくは成分（１）のポリマーの質量に対して、０．００５〜５％、特に０．０１〜２．５％又は０．１〜２％の濃度の前記化合物、を含有する前記組成物。
・  好ましくは１２０マイクロメートル未満、典型的には６０〜１００マイクロメートルの厚さを有する、上記の成分（１）及び（２）を含有する組成物で作られた、フィルム、特に単層フィルム又は３層〜７層の多層フィルム。
・  低密度ポリエチレン、高密度ポリエチレン、エチレン−酢酸ビニルコポリマー及びエチレン−アクリル酸ブチルコポリマーからなる群から選択されたポリマーを安定化させる方法であって、上記で定義された式（ＩＩ）の化合物を前記ポリマー中に組み込むことを含む前記方法。
【実施例】
【０１２３】
以下の例は、本発明をより詳細に説明する。特に記載がない限り、パーセンテージ及び部は全て質量で示される。
【０１２４】
実施例１：ＬＤＰＥ（低密度ポリエチレン）多層フィルムの安定化
以下の表に示した合計で１０質量％の光安定剤、加工安定剤としての０．４質量％のトリス｛２，４−ジ−ｔｅｒｔ−ブチルフェニル｝ホスフィット及び０．１質量％のオクタデシル３−（３，５−ジ−ｔｅｒｔ−ブチル−４−ヒドロキシフェニル）プロピオネート、並びに残りはポリエチレン粉末（Polimeri Europa Riblene（登録商標）FC 30、０．９２２ｇ／ｃｍ３の密度及び０．２７ｇ／１０分のメルトフローインデックス（１９０℃／２．１６ｋｇ）を特徴とする）を含有する適量の各配合物を計量する。配合物をターボミキサーで混合する。各マスターバッチ配合物を、実験室規模のＯＭＣ二軸スクリュー押出機（φ１９ｍｍ、Ｌ／Ｄ＝２５）で２００℃の最高温度で押し出す。各マスターバッチ配合物のためにこのようにして得られた３６０ｇの顆粒を、０．４質量％のトリス｛２，４−ジ−ｔｅｒｔ−ブチルフェニル｝ホスフィットと０．１質量％のオクタデシル３−（３，５−ジ−ｔｅｒｔ−ブチル−４−ヒドロキシフェニル）プロピオネートを加工安定剤として含有する３０ｇのポリエチレンマスターバッチと混合し、Ｒｈｏｎｒａｄ（登録商標）スローミキサー内で５６１０ｇの上記の未使用のペレット状ポリエチレンと１０分間混合すると、以下の表に示した合計で０．６％の光安定剤を含有する最終配合物が得られる。次に、各最終配合物を、２１０℃の最高温度で、実験室規模のＣｏｌｌｉｎ（登録商標）５層ブロー押出機（φ２０−２５−３０ｍｍ、Ｌ／Ｄ＝２５）でブロー成形すると、全ての層で同じ配合を有する全厚１５０μｍ（４５−５−５０−５−４５μｍ）の５層フィルムが得られる。以下の配合物を調製する：
【表１−１】
0006646043.tif 000007
【０１２５】
安定剤（Ｉ−１）：
【化６】
0006646043.tif 000008
（式中、Ｒ１はｎ−プロピルであり且つＸ１はｎ−ブチルである）。
【０１２６】
安定剤（ＩＩ−１）：
【化７】
0006646043.tif 000009
（式中、Ｘ２はｎ−ブチルである）。
【０１２７】
試験は、光の照射と、そこに含有される光安定剤の光安定化性能に悪影響を及ぼすことが知られている農薬の使用とを組み合わせることを目的とする。このような目的を達成するために、人工的な耐候性試験の前に、準備したフィルムに農薬処理を施す。各配合物のフィルムの試験片を小さな試験温室（地理座標：北緯４４°２５’４０’’  東経１１°１６’３９’’）に設置し、その温室内に一般的に農作業で使用されている２種類のバーナーを置いて、広く使用されている殺菌剤である元素硫黄を昇華させる。フィルムを小さな試験温室に設置して、いわゆる「硫黄燃焼」を１３日間連続して１日６時間行う。次に太陽照射の影響を最小限にし、従ってその後の一連の試験で暴露される試料に関して差が生じる可能性を最小限にするために、フィルムの試験片を更なる単一の不透明フィルムで覆って、試料の太陽光への直接暴露を最小限にする。フィルム試料において、誘導結合プラズマで測定して望ましい硫黄の汚染濃度が得られるように、燃焼される硫黄の量を調節し、耐候性試験条件を厳密に監視する。
【０１２８】
農薬処理後、光により耐候性試験を促進するために、各配合物のフィルム試験片を、ＱパネルＱＵＶ／ｓｅ装置（ＱＵＶ；ＡＳＴＭ  Ｇ１５４により、３４０ｎｍで１．５５Ｗ／ｍ２、サイクル６）、又はアトラスウェザー−Ｏ−メーター（ＷＯＭ；ＡＳＴＭ  Ｇ１５５により、３４０ｎｍで０．３５Ｗ／ｍ２、ドライサイクル）のいずれかで暴露する。必要とする配合物の試験片を暴露後の規定の時間間隔で取り出し、カルボニル増量評価又は引張試験のいずれかを行う。カルボニル増分を、ポリマーの酸化度の尺度としてＰｅｒｋｉｎ−Ｅｌｍｅｒ（登録商標）Ｓｐｅｃｔｒｕｍ  １００  ＦＴ−ＩＲ分光光度計を用いて測定し；その酸化後のポリマーの分解の結果として、プラスチックフィルムの機械的特性の減衰を評価するために、残留引張強さをＺｗｉｃｋ（登録商標）Ｚ１．０等速テンシオメータ（改正ＩＳＯ  ５２７による）を用いて測定する。
【０１２９】
試験１：
フィルム試料を１３００ｐｐｍの平均硫黄濃度まで汚染し、次いでフィルムをＱＵＶで暴露し、カルボニル増分を定期的に評価する。結果を第１表に示す。
【表１−２】
0006646043.tif 000010
【０１３０】
試験２：
フィルム試料を、３０００ｐｐｍを上回る硫黄濃度まで汚染させる。その後、フィルムをＷＯＭで暴露し、カルボニル増分を定期的に評価する。結果を第２表に示す。
【表２】
0006646043.tif 000011
【０１３１】
試験３：
フィルム試料を、３０００ｐｐｍを上回る硫黄濃度まで汚染する。次に、フィルムをＷＯＭで暴露し、カルボニル増分を定期的に評価する。この試験では、試料を引っ張り試験のために暴露し、定期的に評価する。結果を第３表に示す。
【表３】
0006646043.tif 000012
【０１３２】
実施例２：ＬＤＰＥ（低密度ポリエチレン）多層フィルムの安定化
以下の表に示した合計で１０質量％の光安定剤、加工安定剤としての０．４質量％のトリス｛２，４−ジ−ｔｅｒｔ−ブチルフェニル｝ホスフィット及び０．１質量％のオクタデシル３−（３，５−ジ−ｔｅｒｔ−ブチル−４−ヒドロキシフェニル）プロピオネート、並びに残りはポリエチレン粉末（Polimeri Europa Riblene（登録商標）FC 30、０．９２２ｇ／ｃｍ３の密度及び０．２７ｇ／１０分のメルトフローインデックス（１９０℃／２．１６ｋｇ）を特徴とする）を含有する適量の各配合物を計量する。配合物をターボミキサーで混合する。各マスターバッチ配合物を、実験室規模のＯＭＣ二軸スクリュー押出機（φ１９ｍｍ、Ｌ／Ｄ＝２５）で２００℃の最高温度で押し出す。各マスターバッチ配合物のためにこのようにして得られた３６０ｇの顆粒を、０．４質量％のトリス｛２，４−ジ−ｔｅｒｔ−ブチルフェニル｝ホスフィットと０．１質量％のオクタデシル３−（３，５−ジ−ｔｅｒｔ−ブチル−４−ヒドロキシフェニル）プロピオネートを加工安定剤として含有する３０ｇのポリエチレンマスターバッチと混合し、Ｒｈｏｎｒａｄ（登録商標）スローミキサー内で５６１０ｇの上記の未使用のペレット状ポリエチレンと１０分間混合すると、以下の表に示した合計で０．６％の光安定剤を含有する最終配合物が得られる。次に、各最終配合物を、２１０℃の最高温度で、実験室規模のＣｏｌｌｉｎ（登録商標）５層ブロー押出機（φ２０−２５−３０ｍｍ、Ｌ／Ｄ＝２５）でブロー成形すると、各層についてそれぞれ全厚１５０μｍ（４５−５−５０−５−４５μｍ）の５層フィルム（層Ａ−Ｂ−Ｃ−Ｄ−Ｅ）が得られる。以下の配合物を調製する：
【表４−１】
0006646043.tif 000013
【０１３３】
安定剤（Ｉ−１）：
【化８】
0006646043.tif 000014
（式中、Ｒ１はｎ−プロピルであり且つＸ１はｎ−ブチルである）。
【０１３４】
安定剤（ＩＩ−１）：
【化９】
0006646043.tif 000015
（式中、Ｘ２はｎ−ブチルである）。
【０１３５】
試験は、光の照射と、そこに含有される光安定剤の光安定化性能に悪影響を及ぼすことが知られている農薬の使用とを組み合わせることを目的とする。このような目的を達成するために、人工的な耐候性試験の前に、準備したフィルムに農薬処理を施す。各配合物のフィルムの試験片を小さな試験温室（地理座標：北緯４４°２５’４０’’  東経１１°１６’３９’’）に設置し、その温室内に一般的に農作業で使用されている２種類のバーナーを置いて、広く使用されている殺菌剤である元素硫黄を昇華させる。フィルムを小さな試験温室に設置し、いわゆる「硫黄燃焼」を１３日間連続して１日６時間行う。次に太陽照射の影響を最小限にし、従ってその後の一連の試験で暴露される試料に関して差が生じる可能性を最小限にするために、フィルムの試験片を更なる単一の不透明フィルムで覆って、試料の太陽光への直接暴露を最小限にする。フィルム試料において、誘導結合プラズマで測定して望ましい硫黄の汚染濃度が得られるように、燃焼される硫黄の量を調節し、耐候性試験条件を厳密に監視する。
【０１３６】
農薬処理後、光により耐候性試験を促進するために、各配合物のフィルム試験片を、ＱパネルＱＵＶ／ｓｅ装置（ＱＵＶ；ＡＳＴＭ  Ｇ１５４により、３４０ｎｍで１．５５Ｗ／ｍ２、サイクル６）、又はアトラスウェザー−Ｏ−メーター（ＷＯＭ；ＡＳＴＭ  Ｇ１５５により、３４０ｎｍで０．３５Ｗ／ｍ２、ドライサイクル）のいずれかで暴露する。必要とする配合物の試験片を、暴露後の規定の時間間隔で取り出し、カルボニル増量評価又は引張試験のいずれかを行う。カルボニル増分を、ポリマーの酸化度の尺度としてＰｅｒｋｉｎ−Ｅｌｍｅｒ（登録商標）Ｓｐｅｃｔｒｕｍ  １００  ＦＴ−ＩＲ分光光度計を用いて測定し；その酸化後のポリマーの分解の結果として、プラスチックフィルムの機械的特性の減衰を評価するために、残留引張強さをＺｗｉｃｋ（登録商標）Ｚ１．０等速テンシオメータ（改正ＩＳＯ  ５２７による）を用いて測定する。
【０１３７】
試験４：
フィルム試料を１３００ｐｐｍの平均硫黄濃度まで汚染し、次いでフィルムをＱＵＶで暴露し、カルボニル増分を定期的に評価する。結果を表４に示す。
【表４−２】
0006646043.tif 000016
【０１３８】
試験５：
フィルム試料を、３０００ｐｐｍを上回る硫黄濃度まで汚染する。次に、フィルムを引張試験のためにＷＯＭで暴露し、定期的に評価する。結果を表５に示す。
【表５】
0006646043.tif 000017